【手続補正書】
【提出日】平成18年6月28日(2006.6.28)
【手続補正１】
【補正対象書類名】明細書
【補正対象項目名】発明の名称
【補正方法】変更
【補正の内容】
【発明の名称】光学機器
【手続補正２】
【補正対象書類名】明細書
【補正対象項目名】特許請求の範囲
【補正方法】変更
【補正の内容】
【特許請求の範囲】
【請求項１】  光学機器の接眼部に装着される装着部と、この装着部から前記接眼部の光軸方向に延びて、前記装着部の外側への折り返しが可能な目当て部とを有するアイカップと、
前記アイカップの前記目当て部の外周に装着する保護キャップとを有し、
折り返された前記目当て部の外径、および折り返されていない前記目当て部の外径が前記保護キャップの同一部分に装着可能な寸法に形成されていることを特徴とする光学機器。
【請求項２】  前記アイカップは、折り返されていない前記目当て部の外径が前記装着部の外径よりも大きく、かつこの目当て部の内径が前記装着部の外径以上となるように段付き形状に形成されたことを特徴とする請求項１に記載の光学機器。
【請求項３】  前記目当て部における当て側の端部外周にフランジ形状部分を形成し、
折り返された前記目当て部の外径と、折り返されていない前記目当て部の前記フランジ形状部分の外径とが前記保護キャップの同一部分に装着可能な寸法に形成されたことを特徴とする請求項１又は２に記載の光学機器。
【請求項４】  前記装着部および前記目当て部の間に肉薄部分を形成したことを特徴とする請求項１から３のいずれかに記載の光学機器。
【請求項５】  前記保護キャップは、折り返されていない前記目当て部および折り返された前記目当て部のいずれの外周にも嵌合を可能とする一定内径の凹部を有することを特徴とする請求項１から４のいずれかに記載の光学機器。
【請求項６】  前記凹部の内径が、折り返されてない前記目当て部の外径および折り返された前記目当て部の外径よりも小さいことを特徴とする請求項５に記載の光学機器。
【手続補正３】
【補正対象書類名】明細書
【補正対象項目名】０００１
【補正方法】変更
【補正の内容】
【０００１】
【発明の属する技術分野】
本発明は、接眼部において、折り返しが可能なアイカップと、これに被せて使用される保護キャップとを有して構成される光学機器に関する。
【手続補正４】
【補正対象書類名】明細書
【補正対象項目名】０００８
【補正方法】変更
【補正の内容】
【０００８】
そこで、本発明では、目当て部が折り返されているか否かにかかわらず、一定内径の凹部のみを有する保護キャップを装着可能なアイカップを備えた光学機器を提供することを目的としている。
【手続補正５】
【補正対象書類名】明細書
【補正対象項目名】０００９
【補正方法】変更
【補正の内容】
【０００９】
【課題を解決するための手段】
上記の目的を達成するために、本発明では、光学機器の接眼部に装着される装着部と、この装着部から接眼部の光軸方向に延びて、装着部の外側への折り返しが可能な目当て部とを有するアイカップと、アイカップの目当て部の外周に装着する保護キャップとを有し、折り返された目当て部の外径、および折り返されていない目当て部の外径が保護キャップの同一部分に装着可能な寸法に形成する。
【手続補正６】
【補正対象書類名】明細書
【補正対象項目名】００１０
【補正方法】変更
【補正の内容】
【００１０】
例えば、アイカップを、折り返されていない目当て部の外径が装着部の外径よりも大きく、かつこの目当て部の内径が装着部の外径以上となるように段付き形状に形成し、段の部分で折り返されて装着部に重なった目当て部の外径が、目当て部自身の肉厚によって折り返されていないときの外径を超えないようにする。
【手続補正７】
【補正対象書類名】明細書
【補正対象項目名】００１１
【補正方法】変更
【補正の内容】
【００１１】
また、目当て部の当て側の端部外周にフランジ形状部分を形成し、折り返された目当て部の外径と、折り返されていない目当て部のフランジ形状部分の外径とが保護キャップの同一部分に装着可能な寸法に形成する。
【手続補正８】
【補正対象書類名】明細書
【補正対象項目名】００１３
【補正方法】変更
【補正の内容】
【００１３】
これらにより、一定内径の凹部を有する低コスト品および汎用品としての保護キャップを、目当て部が折り返されていない状態でも折り返された状態でも装着することが可能な光学機器を実現することができる。しかも、アイカップを段付き形状とした場合には、段部で折り返し方向および復元方向への付勢作用が働くことにより、目当て部の折り返しおよび復元操作を容易に行うことが可能にもなる。また、目当て部にフランジ形状部分を設けた場合には、目当て部を折り返さないときの顔面への接触感や保護キャップ装着の感触を、目当て部を折り返したときと同等にすることが可能にもなる。
【手続補正９】
【補正対象書類名】明細書
【補正対象項目名】００１５
【補正方法】変更
【補正の内容】
【００１５】
そして、眼鏡等の使用の有無にかかわらず使い勝手が良く、いちいち専用の保護キャップを用意する必要のない光学機器を実現することが可能となる。
【手続補正１０】
【補正対象書類名】明細書
【補正対象項目名】００１６
【補正方法】変更
【補正の内容】
【００１６】
【発明の実施の形態】
（第１実施形態）
図１および図２には、本発明の第１実施形態であるアイカップおよびこのアイカップに保護キャップを装着した保護装置を示している。これらの図において、１はビデオカメラ等の光学機器に設けられた接眼レンズ鏡筒であり、この内部には接眼レンズＩおよび視野絞りIIが所定の位置関係で保持されている。接眼レンズＩは、視野絞りII付近に結像された観察像を拡大して見るためのものである。
【手続補正１１】
【補正対象書類名】明細書
【補正対象項目名】００２０
【補正方法】変更
【補正の内容】
【００２０】
さらに、装着部２ａと目当て部２ｂとの間である段部近傍のうち目当て部２ｂ側の位置には、内周に半円断面形状を有する溝が形成されることによって薄肉部２ｃが設けられている。目当て部２ｂは、図２（ａ）に示すように、この薄肉部２ｃから装着部２ａに重なるように外側に折り返され、眼鏡を装着した観察者でも良好な観察ができるようになっている。
【手続補正１２】
【補正対象書類名】明細書
【補正対象項目名】００２１
【補正方法】変更
【補正の内容】
【００２１】
このように薄肉部２ｃを設けることにより、この薄肉部２ｃから先端側の部分を折り返し部分として規定することができ、折り返し操作も行い易くなる。また、薄肉部２ｃの位置をわずかに前後させることで、折り返し部分の長さや位置、或いは保護キャップ６との嵌合位置を微妙に調整することができる。
【手続補正１３】
【補正対象書類名】明細書
【補正対象項目名】００２９
【補正方法】変更
【補正の内容】
【００２９】
例えば、フランジ部２ｄの外周に保護キャップ６が嵌合する図１（ｂ）の状態では、目当て部２ｂのほぼ全体に保護キャップ６が嵌合する図２（ｂ）の状態に比べて、保護キャップ６との接触面積が小さいので、外径φＡを外径φＢより若干大きくした方が、双方の状態での保護キャップ６の装着に必要な力や装着保持力のバランスがよくなる。
【手続補正１４】
【補正対象書類名】明細書
【補正対象項目名】００３２
【補正方法】変更
【補正の内容】
【００３２】
本実施形態のアイカップ１２は、柔軟なゴム材で回転体形状に成型され、接眼レンズ鏡筒１に装着される装着部１２ａと、この装着部１２ａから接眼レンズＩの光射出方向に延出し、外側に折り返しが可能な目当て部１２ｂとを有する。
【手続補正１５】
【補正対象書類名】明細書
【補正対象項目名】００３３
【補正方法】変更
【補正の内容】
【００３３】
第１実施形態と同様の理由から、目当て部１２ｂの当て側端部（光射出方向先端）の外周にはフランジ部１２ｄが形成されており、また、装着部１２ａと目当て部１２ｂとの間の位置には、内周に半円断面形状を有する溝が形成されることによって薄肉部１２ｃが設けられている。
【手続補正１６】
【補正対象書類名】明細書
【補正対象項目名】００３９
【補正方法】変更
【補正の内容】
【００３９】
【発明の効果】
以上説明したように本発明によれば、アイカップを、折り返された目当て部の外径が、折り返されていない目当て部の外径と略等しくなるように形成しているので、一定内径の凹部を有する低コスト品および汎用品としての保護キャップを、折り返されていない状態および折り返された状態の目当て部に装着することができる。
【手続補正１７】
【補正対象書類名】明細書
【補正対象項目名】００４２
【補正方法】変更
【補正の内容】
【００４２】
そして、眼鏡等の使用の有無にかかわらず使い勝手が良く、いちいち専用の保護キャップを用意する必要のない光学機器を実現することができる。